(57)【要約】【課題】上流側の装置との接触などの干渉を防ぐことができる後処理装置を提供する。【解決手段】後処理装置１００は、用紙に対して後処理を施す後処理部１２０と、用紙受入口１１３を構成する用紙ガイド１１０と、後処理部１２０および用紙ガイド１１０を用紙の幅方向で移動させる移動部と、用紙ガイド１１０を駆動させるガイド駆動部１３０とを備えている。ガイド駆動部１３０は、移動部によって後処理部１２０を移動させた際、用紙の厚さ方向で、用紙受入口１１３が開口している受入幅を変動させる。【選択図】図２
2018118830.tif 000002
【特許請求の範囲】
【請求項１】
用紙受入口から導入された用紙に後処理を施す後処理装置であって、
用紙に対して後処理を施す後処理部と、
前記用紙受入口を構成する用紙ガイドと、
前記後処理部および前記用紙ガイドを用紙の幅方向で移動させる移動部と、
前記用紙ガイドを駆動させるガイド駆動部とを備え、
前記ガイド駆動部は、前記移動部によって前記後処理部を移動させた際、用紙の厚さ方向で、前記用紙受入口が開口している受入幅を変動させること
を特徴とする後処理装置。
【請求項２】
請求項１に記載の後処理装置であって、
前記用紙ガイドは、前記用紙受入口から用紙を導入する際に、前記受入幅を狭めた状態とし、前記後処理部が前記幅方向へ移動する際に、前記受入幅を広げた状態とすること
を特徴とする後処理装置。
【請求項３】
請求項１または請求項２に記載の後処理装置であって、
前記用紙ガイドは、前記厚さ方向において、導入される用紙を挟むように対向する一対のガイド部材で構成されていること
を特徴とする後処理装置。
【請求項４】
請求項３に記載の後処理装置であって、
前記一対のガイド部材は、一方が前記ガイド駆動部に駆動された際、他方が連動して駆動する構成とされていること
を特徴とする後処理装置。
【請求項５】
請求項１から請求項４までのいずれか１つに記載の後処理装置であって、
前記ガイド駆動部は、前記幅方向へ延伸されたリブとされ、
前記用紙ガイドは、前記幅方向へ移動した際に、前記リブと重なる位置に設けられたガイド当接部を有し、
前記リブは、前記移動部によって前記後処理部を移動させた際、前記ガイド当接部を押圧すること
を特徴とする後処理装置。
【請求項６】
請求項１から請求項５までのいずれか１つに記載の後処理装置であって、
導入された用紙の前記幅方向での位置を検知する位置検知部を備え、
前記移動部は、前記位置検知部の検知結果に基づいて、前記後処理部の位置を設定すること
を特徴とする後処理装置。
【請求項７】
請求項１から請求項６までのいずれか１つに記載の後処理装置を備えた画像形成装置。
【発明の詳細な説明】
【技術分野】
【０００１】
本発明は、導入された用紙に後処理を施す後処理装置および画像形成装置に関する。
【背景技術】
【０００２】
従来、画像形成装置では、用紙のソート、ステープル処理、およびパンチ処理等の後処理を施す後処理装置が、排紙口に隣接して配置され、画像形成装置から後処理装置へ用紙が受け渡される。後処理装置は、画像形成装置と独立して設けられているため、用紙を受け渡す高さなどに違いがあり、後処理装置の挿入口を移動させて対処している（例えば、特許文献１参照。）。
【先行技術文献】
【特許文献】
【０００３】
【特許文献１】特開２００７−７００９７号公報
【発明の概要】
【発明が解決しようとする課題】
【０００４】
特許文献１に記載の用紙後処理装置は、画像形成装置の排紙口に対応させるために、用紙挿入口の高さ位置を調整できる高さ位置調整手段を備えている。ところで、特許文献１の用紙後処理装置では、位置が固定された画像形成装置の排紙口に対して、用紙挿入口を移動させるので、排紙口と用紙挿入口とが干渉する虞がある。しかし、排紙口と用紙挿入口とを大きく離間させた構成とすると、その隙間で用紙が引っ掛かる虞がある。
【０００５】
本発明は、上記の課題を解決するためになされたものであり、上流側の装置との接触などの干渉を防ぐことができる後処理装置および画像形成装置を提供することを目的とする。
【課題を解決するための手段】
【０００６】
本発明に係る後処理装置は、用紙受入口から導入された用紙に後処理を施す後処理装置であって、用紙に対して後処理を施す後処理部と、前記用紙受入口を構成する用紙ガイドと、前記後処理部および前記用紙ガイドを用紙の幅方向で移動させる移動部と、前記用紙ガイドを駆動させるガイド駆動部とを備え、前記ガイド駆動部は、前記移動部によって前記後処理部を移動させた際、用紙の厚さ方向で、前記用紙受入口が開口している受入幅を変動させることを特徴とする。
【０００７】
本発明に係る後処理装置では、前記用紙ガイドは、前記用紙受入口から用紙を導入する際に、前記受入幅を狭めた状態とし、前記後処理部が前記幅方向へ移動する際に、前記受入幅を広げた状態とする構成としてもよい。
【０００８】
本発明に係る後処理装置では、前記用紙ガイドは、前記厚さ方向において、導入される用紙を挟むように対向する一対のガイド部材で構成してもよい。
【０００９】
本発明に係る後処理装置では、前記一対のガイド部材は、一方が前記ガイド駆動部に駆動された際、他方が連動して駆動する構成としてもよい。
【００１０】
本発明に係る後処理装置では、前記ガイド駆動部は、前記幅方向へ延伸されたリブとされ、前記用紙ガイドは、前記幅方向へ移動した際に、前記リブと重なる位置に設けられたガイド当接部を有し、前記リブは、前記移動部によって前記後処理部を移動させた際、前記ガイド当接部を押圧する構成としてもよい。
【００１１】
本発明に係る後処理装置では、導入された用紙の前記幅方向での位置を検知する位置検知部を備え、前記移動部は、前記位置検知部の検知結果に基づいて、前記後処理部の位置を設定する構成としてもよい。
【００１２】
本発明に係る画像形成装置は、本発明に係る後処理装置を備えることを特徴とする。
【発明の効果】
【００１３】
本発明によると、用紙受入口を開閉させることで、用紙の搬送と後処理部の移動とを円滑に実施することができる。つまり、受入幅を狭めることで、用紙先端のばたつきを抑えて、用紙を確実に導入することができる。また、受入幅を広げることで、後処理部を移動させる際、後処理装置へ用紙を搬送する上流側の装置と、後処理装置との接触などの干渉を防ぐことができる。
【図面の簡単な説明】
【００１４】
【図１】本発明の第１実施形態に係る画像形成装置の概略側面図である。
【図２】図１に示す後処理装置を拡大して示す拡大側面図である。
【図３】後処理装置の要部を抜き出して示す概略説明図（その１）である。
【図４】図３のガイド当接部およびガイド駆動部近傍を拡大して示す拡大側面図である。
【図５】後処理装置の要部を抜き出して示す概略説明図（その２）である。
【図６】後処理装置の要部を抜き出して示す概略説明図（その３）である。
【図７】図６の用紙ガイド近傍を拡大して示す要部拡大図である。
【図８】図６のガイド当接部およびガイド駆動部近傍を拡大して示す拡大側面図である。
【発明を実施するための形態】
【００１５】
（第１実施形態）
以下、本発明の第１実施形態に係る画像形成装置について、図面を参照して説明する。
【００１６】
図１は、本発明の第１実施形態に係る画像形成装置の概略側面図である。
【００１７】
本発明の第１実施形態に係る画像形成装置１は、画像読取部９０と、画像形成部２００と、原稿搬送部９１と、中継搬送部４００と、後処理装置１００とを備えている。画像形成装置１は、スキャナ機能、複写機能、プリンタ機能、およびファクシミリ機能等を有する複合機であり、画像読取部９０によって読み取られた原稿の画像を外部に送信し（スキャナ機能に相当する）、また、読み取られた原稿の画像または外部から受信した画像をカラーもしくは単色で用紙に画像形成する（複写機能、プリンタ機能、およびファクシミリ機能に相当する）。
【００１８】
原稿搬送部９１は、画像読取部９０に対して開閉自在に支持されている。原稿搬送部９１が開かれると、画像読取部９０の上面に設けられた原稿載置台９０ａが開放され、原稿載置台９０ａに原稿を手置きで置くことができるようになっている。また、原稿搬送部９１は、載置された原稿を画像読取部９０の上に自動で搬送する。画像読取部９０は、原稿載置台９０ａに載置された原稿または原稿搬送部９１から搬送された原稿を読み取って画像データを生成する。
【００１９】
画像形成部２００は、光走査装置１０、現像装置２、感光体ドラム３、ドラムクリーニング装置４、帯電器５、中間転写ベルト７、定着部１２、用紙搬送路Ｓ１、第１給紙カセット３５、第２給紙カセット３６等を備えている。
【００２０】
画像形成部２００では、ブラック（Ｋ）、シアン（Ｃ）、マゼンタ（Ｍ）、イエロー（Ｙ）の各色を用いたカラー画像、または単色（例えば、ブラック）を用いたモノクロ画像に応じた画像データが扱われる。画像形成部２００には、４種類のトナー像を形成するための現像装置２、感光体ドラム３、ドラムクリーニング装置４、および帯電器５が４つずつ設けられ、それぞれがブラック、シアン、マゼンタ、およびイエローに対応付けられ、４つの画像ステーションＰａ、Ｐｂ、Ｐｃ、Ｐｄが構成されている。
【００２１】
ドラムクリーニング装置４は、感光体ドラム３の表面の残留トナーを除去および回収する。帯電器５は、感光体ドラム３の表面を所定の電位に均一に帯電させる。光走査装置１０は、感光体ドラム３の表面を露光して静電潜像を形成する。現像装置２は、感光体ドラム３の表面の静電潜像を現像して、感光体ドラム３の表面にトナー像を形成する。上述した一連の動作によって、各感光体ドラム３の表面に各色のトナー像が形成される。
【００２２】
感光体ドラム３の上側には、中間転写ベルト７を介して中間転写ローラ６が配置されている。中間転写ベルト７は、転写駆動ローラ２１および転写従動ローラ２２に張架され、矢符Ｃの方向へ周回移動し、ベルトクリーニング装置９によって残留トナーを除去および回収され、各感光体ドラム３の表面に形成された各色のトナー像が順次転写して重ね合わされて、中間転写ベルト７の表面にカラーのトナー像が形成される。
【００２３】
２次転写部１１の転写ローラ１１ａは、中間転写ベルト７との間にニップ域（２次転写位置）が形成されており、用紙搬送路Ｓ１を通じて搬送されて来た用紙をニップ域に挟み込んで搬送する。用紙は、ニップ域を通過する際に、中間転写ベルト７の表面のトナー像が転写されて定着部１２に搬送される。
【００２４】
定着部１２は、定着ローラ３２、加圧ローラ３１、加熱ローラ３３、および定着ベルト３４を備えている。定着ローラ３２および加熱ローラ３３には、定着ベルト３４が張架されており、加熱ローラ３３は、定着ベルト３４を加熱させる。定着ローラ３２は、定着ベルト３４を介して加圧ローラ３１に当接している。定着部１２は、定着ローラ３２および加圧ローラ３１の間にトナー像が転写された用紙を挟み込んで加熱および加圧し、トナー像を用紙に定着させる。
【００２５】
第１給紙カセット３５および第２給紙カセット３６は、画像形成に使用する用紙を蓄積しておくためのカセットであり、光走査装置１０の下側に設けられている。用紙は、第１用紙ピックアップローラ３５ａまたは第２用紙ピックアップローラ３６ａによって引き出されて、用紙搬送路Ｓ１を通じて搬送され、２次転写部１１や定着部１２を経由し、排紙ローラ１５を介して中継搬送部４００へと搬出される。用紙搬送路Ｓ１には、用紙を一旦停止させて、用紙の先端を揃えた後、中間転写ベルト７と転写ローラ１１ａとの間のニップ域でのカラーのトナー像の転写タイミングに合わせて用紙の搬送を開始する用紙レジストローラ１４、用紙の搬送を促す搬送ローラ１３、および排紙ローラ１５が配置されている。
【００２６】
なお、画像形成装置１では、第１給紙カセット３５および第２給紙カセット３６の２つの給紙カセットを設けたがこれに限定されず、１つの給紙カセットを設けた構成としてもよい。
【００２７】
また、用紙の表面だけでなく、裏面に画像形成を行う場合は、用紙を排紙ローラ１５から用紙反転経路Ｓｒへと逆方向に搬送して、用紙の表裏を反転させ、用紙を用紙レジストローラ１４へと再度導き、表面と同様にして裏面に画像形成を行い、用紙を中継搬送部４００へと搬出する。
【００２８】
中継搬送部４００は、画像形成部２００から搬出された用紙を後処理装置１００へ搬送する。中継搬送部４００は、搬入口６０から導入された用紙を、中継搬送路Ｓ２に沿って設けられた複数の中継搬送ローラ６３によって搬送し、後処理装置１００に面して設けられた中継ガイド６４（後述する図２参照）を介して、用紙を後処理装置１００へ受け渡す。
【００２９】
図２は、図１に示す後処理装置を拡大して示す拡大側面図である。
【００３０】
後処理装置１００は、搬送された用紙に穴を開けるパンチユニットとされている。後処理装置１００は、画像形成装置１の側面に取り付けられており、中継搬送部４００の中継ガイド６４に面する位置に、用紙受入口１１３が設けられている。また、後処理装置１００は、後処理部１２０、用紙ガイド１１０、移動部１５０（後述する図３参照）、ガイド駆動部１３０、および排紙トレイ１０２を備えている。
【００３１】
用紙ガイド１１０は、用紙受入口１１３を構成しており、用紙の厚さ方向において、導入される用紙を挟むように対向する一対のガイド部材とされている。以下では説明のため、一対のガイド部材のうち、用紙の上方側を上方ガイド部材１１１と呼び、用紙の下方側を下方ガイド部材１１２と呼ぶ。具体的に、用紙ガイド１１０は、上方ガイド部材１１１と下方ガイド部材１１２との間の隙間が用紙受入口１１３とされており、用紙受入口１１３を構成する端部が中継ガイド６４の近傍に位置している。上述した用紙ガイド１１０では、厚さ方向での受入幅を容易に変動できる構造とすることができる。
【００３２】
上方ガイド部材１１１は、端部に設けられた上方ガイド軸１１１ａを中心に回動する構造とされ、中継ガイド６４に面する側の端部が揺動する。下方ガイド部材１１２は、端部に設けられた下方ガイド軸１１２ａを中心に回動する構造とされ、中継ガイド６４に面する側の端部が揺動する。つまり、用紙ガイド１１０は、上方ガイド軸１１１ａおよび下方ガイド軸１１２ａが設けられている側において、上方ガイド部材１１１と下方ガイド部材１１２との間隔がほぼ変わらず、中継ガイド６４に面する側で、用紙受入口１１３が開口している受入幅を変動させる。本実施の形態においては、上方ガイド軸１１１ａおよび下方ガイド軸１１２ａが設けられている側の端部が、用紙ガイド１１０の最狭部とされている。
【００３３】
上方ガイド部材１１１と下方ガイド部材１１２とは、例えば、ギアなどによって連結されており、連動して駆動する構成とされている。したがって、余分な駆動源を設けずに、一対のガイド部材が連動して駆動する構造とすることができる。下方ガイド部材１１２の揺動する側の端部には、下方に向かって突出したガイド当接部１１２ｂが設けられており、図２では、ガイド当接部１１２ｂとガイド駆動部１３０とが当接している。ガイド駆動部１３０は、後処理装置１００の筐体に固定されており、用紙の幅方向Ｗへ延伸されたリブとされている。なお、移動部１５０およびガイド駆動部１３０については、後述する図３ないし図８を参照して、詳細に説明する。
【００３４】
本実施の形態において、下方ガイド部材１１２は、自重によって回動する構成とされている。つまり、下方ガイド部材１１２は、ガイド当接部１１２ｂ側の端部寄りに重心が設定されており、下方から上方へ押圧する力が加わらない限り、ガイド当接部１１２ｂ側が下方へ回動する。
【００３５】
後処理部１２０は、用紙の搬送方向Ｈで用紙ガイド１１０の下流側に設けられ、用紙に後処理を施すパンチ部１２１と、パンチ部１２１へ用紙を導く後処理ガイド１２２とを備えている。後処理ガイド１２２は、用紙ガイド１１０に面して設けられ、用紙ガイド１１０から搬送された用紙を受け入れる。パンチ部１２１は、後処理ガイド１２２に対して位置が固定されており、後処理ガイド１２２の決められた位置に向かって動作することで、用紙に穴を開ける。後処理部１２０を通った用紙は、後処理搬送路Ｓ３を通って、排紙トレイ１０２へ排出される。
【００３６】
図３は、後処理装置の要部を抜き出して示す概略説明図（その１）であって、図４は、図３のガイド当接部およびガイド駆動部近傍を拡大して示す拡大側面図である。なお、図３では、図面の見易さを考慮して、用紙Ｐを透視的に示している。
【００３７】
図３では、図２に示す構成のうち、中継ガイド６４、下方ガイド部材１１２（用紙ガイド１１０）、および後処理ガイド１２２（後処理部１２０）を抜き出しており、上方から見た状態を示している。また、図面の見易さを考慮して、中継ガイド６４と用紙ガイド１１０との間に隙間を設けているが、実際には、中継ガイド６４と用紙ガイド１１０とが接触しない程度まで、両者を近づけてもよい。
【００３８】
用紙Ｐには、搬送方向Ｈに沿った用紙基準線ＬＰが設定されており、幅方向Ｗの中心に用紙基準線ＬＰが一致する。中継ガイド６４では、幅方向Ｗの中心が用紙基準線ＬＰと一致するように用紙Ｐを搬送する。図３において、用紙Ｐは、先端が用紙ガイド１１０に面する位置とされている。
【００３９】
用紙ガイド１１０および後処理部１２０には、例えば、ギアなどを介して移動部１５０が接続されている。移動部１５０は、例えば、モータであって、用紙ガイド１１０および後処理部１２０を幅方向Ｗで移動させる。用紙ガイド１１０および後処理部１２０には、搬送方向Ｈに沿った共通の後処理基準線ＬＡが設定されており、それぞれの幅方向Ｗの中心と後処理基準線ＬＡとを略一致させている。
【００４０】
後処理ガイド１２２は、幅方向Ｗの端部に設けられた位置検知部１４０と、パンチ部１２１に面して設けられたパンチ穴１２３とを備えている。位置検知部１４０は、導入された用紙Ｐの幅方向Ｗでの位置を検知し、例えば、光学センサである。パンチ穴１２３は、後処理基準線ＬＡを挟んで、幅方向Ｗで対称になるように、２つ設けられている。パンチ部１２１が動作した際、用紙Ｐは、パンチ穴１２３に対応する位置に穴が開けられる。なお、位置検知部１４０は、後処理ガイド１２２に併せて移動する構成とされていればよく、後処理ガイド１２２と一体に構成しなくてもよい。つまり、位置検知部１４０に対応する位置に応じて、後処理ガイド１２２に穴を開けておき、穴を通過する光で検知する構成としてもよい。
【００４１】
図３において、用紙基準線ＬＰと後処理基準線ＬＡとは、幅方向Ｗで離間しており、ガイド当接部１１２ｂは、ガイド駆動部１３０と重なるように位置している。図４に示すように、ガイド駆動部１３０は、周囲よりも下方ガイド部材１１２に向かって突出しており、ガイド当接部１１２ｂと重なることで、下方ガイド部材１１２を上方へ押し上げている。その結果、用紙ガイド１１０は、下方ガイド部材１１２と上方ガイド部材１１１とが接近し、用紙受入口１１３の受入幅を狭めた状態とされている。
【００４２】
図５は、後処理装置の要部を抜き出して示す概略説明図（その２）である。
【００４３】
図５は、図３に対して、用紙Ｐを搬送方向Ｈへ搬送した状態とされている。用紙Ｐは、用紙受入口１１３を通って、後処理装置１００の内部へ導入され、先端が位置検知部１４０の近傍に到達した状態で停止している。図５でも、用紙基準線ＬＰと後処理基準線ＬＡとは、幅方向Ｗで離間している。つまり、本実施の形態では、用紙受入口１１３を狭めた状態で、用紙Ｐの先端が用紙ガイド１１０の最狭部を通過している。
【００４４】
図６は、後処理装置の要部を抜き出して示す概略説明図（その３）であって、図７は、図６の用紙ガイド近傍を拡大して示す要部拡大図であって、図８は、図６のガイド当接部およびガイド駆動部近傍を拡大して示す拡大側面図である。
【００４５】
図６は、図５に対して、用紙ガイド１１０および後処理部１２０を幅方向Ｗで移動させた状態とされている。後処理部１２０を矢符Ｂの方向へ移動させることで、位置検知部１４０は、用紙Ｐの幅方向Ｗでの位置を検知し、用紙基準線ＬＰと後処理基準線ＬＡとが一致する。また、用紙ガイド１１０は、幅方向Ｗへ移動したことで、ガイド当接部１１２ｂとガイド駆動部１３０とが離間する。その結果、図８に示すように、ガイド駆動部１３０に押し上げられていた下方ガイド部材１１２が下方へ下がり、下方ガイド部材１１２と上方ガイド部材１１１とが離間する。つまり、図７に示すように、下方ガイド部材１１２の端部が矢符Ｄ１の方向に回動し、上方ガイド部材１１１の端部が矢符Ｄ２の方向に回動する。それによって、用紙ガイド１１０は、用紙受入口１１３の受入幅が広がった状態とされる。用紙受入口１１３を広げることで、用紙ガイド１１０と中継ガイド６４とが離間して隙間ができ、両者の接触を回避することができる。
【００４６】
用紙Ｐは、用紙基準線ＬＰと後処理基準線ＬＡとを一致させた状態で、搬送方向Ｈへ搬送され、端部がパンチ穴１２３に到達した際に、パンチ部１２１によって穴が開けられ、排紙トレイ１０２までさらに搬送される。このように、位置検知部１４０の検知結果に基づいて、後処理部１２０の位置を移動部１５０に設定させて、用紙基準線ＬＰと後処理基準線ＬＡとを一致させている。それによって、用紙Ｐの位置に応じて、適切な箇所に後処理を施すことができる。
【００４７】
用紙Ｐを排紙トレイ１０２まで搬送した後は、用紙ガイド１１０および後処理部１２０を図３に示す位置まで移動させることで、用紙受入口１１３が狭められ、次の用紙Ｐの受け入れ準備が完了する。
【００４８】
上述したように、ガイド駆動部１３０は、移動部１５０によって後処理部１２０を移動させた際、用紙Ｐの厚さ方向で、用紙受入口１１３が開口している受入幅を変動させる。そして、用紙ガイド１１０は、用紙受入口１１３から用紙を導入する際に、受入幅を狭めた状態とし、後処理部１２０が幅方向Ｗへ移動する際に、受入幅を広げた状態としている。したがって、用紙受入口１１３を開閉させることで、用紙Ｐの搬送と後処理部１２０の移動とを円滑に実施することができる。つまり、受入幅を狭めることで、用紙Ｐ先端のばたつきを抑えて、用紙Ｐを確実に導入することができる。また、受入幅を広げることで、後処理部１２０を移動させる際、後処理装置１００へ用紙を搬送する上流側の装置と、後処理装置１００との接触などの干渉を防ぐことができる。また、適切な機会に用紙受入口１１３を開閉させることで、用紙Ｐを円滑に搬送することと、装置同士の干渉を防ぐこととを両立することができる。
【００４９】
また、ガイド駆動部１３０をリブとすることで、後処理部１２０を移動させる力を、用紙ガイド１１０に伝達して駆動させることができ、簡素な構造で後処理部１２０と用紙ガイド１１０とを連動させることができる。
【００５０】
さらに、ガイド当接部１１２ｂとガイド駆動部１３０とが幅方向Ｗで面する部分には、突出している幅が狭くなるように、傾斜部が設けられている。これによって、ガイド当接部１１２ｂとガイド駆動部１３０とが幅方向Ｗで重なる際、両者が引っ掛かることを防ぎ、円滑に押し上げることができる。なお、傾斜部は、ガイド当接部１１２ｂおよびガイド駆動部１３０のうち、いずれか一方にだけ形成されていてもよい。
【００５１】
（第２実施形態）
次に、本発明の第２実施形態に係る後処理装置および画像形成装置について説明する。なお、第２実施形態は、第１実施形態に対して、略同様の構成とされているので、図面等を省略する。
【００５２】
第２実施形態では、第１実施形態に対して、用紙ガイド１１０を揺動させる構成が異なる。具体的に、本実施の形態では、下方ガイド部材１１２を下方へ付勢する付勢部材が設けられており、付勢部材によって、図７に示す矢符Ｄ１の方向へ下方ガイド部材１１２の端部が回動する。
【００５３】
（第３実施形態）
次に、本発明の第３実施形態に係る後処理装置および画像形成装置について説明する。なお、第３実施形態は、第１実施形態および第２実施形態に対して、略同様の構成とされているので、図面等を省略する。
【００５４】
第３実施形態では、第１実施形態に対して、ガイド当接部１１２ｂが上方ガイド部材１１１に設けられている点で異なる。ガイド駆動部１３０は、ガイド当接部１１２ｂの上方に設けられており、幅方向Ｗでガイド当接部１１２ｂと重なる際、上方ガイド部材１１１を下方へ押し下げる。上方ガイド部材１１１は、付勢部材によって、上方へ回動する構成とされていてもよいし、自重によって上方へ回動する構成とされていてもよい。
【００５５】
なお、今回開示した実施の形態は全ての点で例示であって、限定的な解釈の根拠となるものではない。従って、本発明の技術的範囲は、上記した実施の形態のみによって解釈されるものではなく、特許請求の範囲の記載に基づいて画定される。また、特許請求の範囲と均等の意味および範囲内での全ての変更が含まれる。
【符号の説明】
【００５６】
１  画像形成装置
１００  後処理装置
１１０  用紙ガイド
１１１  上方ガイド部材
１１２  下方ガイド部材
１１２ｂ  ガイド当接部
１１３  用紙受入口
１２０  後処理部
１２１  パンチ部
１２２  後処理ガイド
１３０  ガイド駆動部
１４０  位置検知部
１５０  移動部
Ｈ  搬送方向
Ｗ  幅方向
【図１】
2018118830.tif 000003
【図２】
2018118830.tif 000004
【図３】
2018118830.tif 000005
【図４】
2018118830.tif 000006
【図５】
2018118830.tif 000007
【図６】
2018118830.tif 000008
【図７】
2018118830.tif 000009
【図８】
2018118830.tif 000010